(57)【要約】【課題】  消火設備格納箱に扉枠を安定した取付状態となるように簡単且つ正確に取り付けることができるように構成した扉枠取付構造を提供する。【解決手段】  建物壁面の凹部内に設置された消火設備格納箱１の内周面に設けているリブ２と扉枠７の後端縁に内方に向かって突設しているリブとの複数箇所をボルト11によって連結することにより消火設備格納箱１に扉枠７を取付けている扉枠取付構造において、消火設備格納箱１の両側リブ部の上部に前方に向かって扉枠支持部材４、４を突設している一方扉枠７の両側枠部の外壁面上部に載架片13、13を突設してあり、この載架置片13、13を上記扉枠支持部材４、４の上端面に支持させた状態にして消火設備格納箱１に扉枠７を取付けている。【選択図】    図３
2019198537.tif 000002
【特許請求の範囲】
【請求項１】
建物等の壁面に設けている凹部内に設置された消火設備格納箱の前端開口部に配した扉枠の取付構造であって、消火設備格納箱の開口部内周面に突設したリブと扉枠の後端縁に内方に向かって突設したリブとを前後に対向させて、これらのリブの複数箇所間をボルト又は係合ピン等の軸体によって連結、固定してあり、さらに、消火設備格納箱の上記リブにおける両側リブ部の上部に前方に向かって扉枠支持部材を突設している一方、扉枠の両側枠部の外側面上部に載架片を突設してあり、この両側載架片をそれぞれ上記両側の扉枠支持部材の上面に載せて扉枠を扉枠支持部材を介して消火設備格納箱に支持させていることを特徴とする消火設備格納箱の扉枠取付構造。
【請求項２】
扉枠支持部材は板面を垂直方向に向けている板材からなり、その後端部を消火設備格納箱の両側リブ部の上部に設けた縦スリットに係止させていると共に前端部は消火設備格納箱の前端開口部から前方に突出させていて、その突出端部を扉枠の両側枠部内に臨ませてあり、さらに、扉枠の載架片を支持するこの扉枠支持部材の上端面は水平端面に形成されていることを特徴とする請求項１に記載の消火設備格納箱の扉枠取付構造。
【請求項３】
建物等の壁面に設けている凹部内に設置された消火設備格納箱の開口部の内周面には内方に向かってリブが突設されてあり、このリブの複数箇所には扉枠固定用透孔が設けられていると共に、このリブの両側リブ部に設けている上記扉枠固定用透孔の外側に位置させてこの両側リブ部の上部には前方に向かって扉枠支持部材が突設されている一方、扉枠の後端縁には内方に向かってリブが突設されていて、このリブに上記各扉枠固定用透孔に対向するように複数個の扉枠取付用透孔が設けられていると共に扉枠の両側枠部の外側面上部に載架片を突設してあり、この扉枠の後端面を消火設備格納箱の前端開口部に合わせてその両側枠部に突設している上記載架片をそれぞれ上記消火設備格納箱の両側リブ部から前方に突出している扉枠支持部材上に受止させたのち、扉枠を消火設備格納箱内に押し進めることにより扉枠の両側載架片を上記扉枠支持部材上で摺動させながら扉枠を消火設備格納箱内に収納すると共に消火設備格納箱のリブに設けている各扉枠固定用透孔に扉枠のリブに設けている上記各扉枠取付用透孔をそれぞれ対向させてこれらの対向する透孔間をボルト又は係合ピン等の軸体によって連結、固定することを特徴とする消火設備格納箱の扉枠取付方法。
【請求項４】
扉枠を消火設備格納箱内に収納する際に、扉枠に扉を取付けておくことを特徴とする請求項３に記載の消火設備格納箱の扉枠取付方法。
【請求項５】
扉枠支持部材の先端部は消火設備格納箱の開口部から前方に突出していると共にこの扉枠支持部材の上端面は水平端面に形成されてあり、この扉枠支持部材の上端面に扉枠の両側枠部の外側面上部に突設している載架片を載せて扉枠を扉枠支持部材に支持させた際に、扉枠のリブに設けている各扉枠取付用透孔が消火設備格納箱のリブに設けている各扉枠固定用透孔にそれぞれ同一高さ位置で対向するように構成していることを特徴とする請求項４に記載の消火設備格納箱の扉枠取付方法。
【発明の詳細な説明】
【技術分野】
【０００１】
本発明は建物等の壁面に設けている凹部内に設置された消火設備格納箱の扉枠取付構造とこの扉枠の取付方法に関する。
【背景技術】
【０００２】
消火設備格納箱には火災発生時に消火活動に使用される消火用ホースやノズル、消火栓弁等が格納されてあり、不使用時には消火設備格納箱の前端開口部は扉によって閉止されている。この扉は扉枠内に開閉自在に装着されてあり、扉枠は消火設備格納箱の前端開口部内に嵌め込まれて消火設備格納箱に一体的に取付けられている。
【０００３】
この扉枠の取付構造としては、例えば、特許文献１に記載されているように、消火設備格納箱の前端開口部内周面にこの内周面に直交するリブが突設されてあり、このリブに周方向に一定間隔毎にボルト取付用透孔が設けられている一方、扉枠の後端縁に内方に向かって上記消火設備格納箱の内周面に突設しているリブに対向するリブが突設されてあり、このリブには上記各ボルト取付用透孔にそれぞれ対向する複数のボルト挿通孔が設けられていて、消火設備格納箱の開口部内に扉枠を嵌め込んだ際に、この扉枠のリブに設けているボルト挿通孔からこのボルト挿通孔に対向する上記消火設備格納箱側のリブに設けているボルト取付用透孔にボルトを挿通してボルト取付用透孔の背面側に溶接等によって固着しているナットに螺合させることにより扉枠を消火設備格納箱に取付けた構造が採用されている。
【０００４】
また、特許文献２には、上記ボルトに代えて外周面に多数の環状掛止突部を形成している係合ピンを使用し、この係合ピンを上記扉枠の後端縁から内方に向かって突設しているリブに設けた挿通孔に挿通し、消火設備格納箱の内周面に突設しているリブに設けた孔にその先端部を挿入してこの孔の内周面に上記環状掛止突部を係合させることにより消火設備格納箱の開口部内に扉枠を取付けた構造が記載されている。
【先行技術文献】
【特許文献】
【０００５】
【特許文献１】特開２００７−２２９１０８号公報
【特許文献２】特開２００９−１０６４６５号公報
【発明の概要】
【発明が解決しようとする課題】
【０００６】
しかしながら、上記従来技術によれば、建物内の壁面に設けている凹部内に設置された消火設備格納箱内に扉を開閉自在に取付けている扉枠を取付けるには、扉枠を持ち上げてこの扉枠の後端面を消火設備格納箱の前端開口部に対向させた状態を保持しながら扉枠を消火設備格納箱内に収め、さらに、扉枠の後端縁から内方に向かって突設している上記リブに設けたボルト或いは係合ピンの各挿通孔を、消火設備格納箱の内周面に突設している上記リブに設けた各孔の中心線上にそれぞれ位置するように対向させた状態を保持しながらボルト又は係合ピンによって消火設備格納箱内に扉枠を取り付ける作業を必要とする。    
【０００７】
このような消火設備格納箱に対する扉枠の取付作業は極めて煩雑であって、一人の作業員ではその取付施工を行うことが極めて困難であるばかりでなく、消火設備格納箱の開口部内に扉枠を収める際に扉枠が妄動して消火設備格納箱内に安定した状態で正確に収めるには著しい手間と熟練を要するといった問題点があった。
【０００８】
また、扉を取付けている扉枠の負荷が上記ボルトや係合ピンに直接作用するので、所定の取付強度を維持するには、大径のボルトや係合ピンを使用したり、ボルトや係合ピンによる固定箇所を多くする必要があり、取付作業が一層、煩雑になるといった問題点があった。
【０００９】
本発明はこのような問題点に鑑みてなされたもので、その目的とするところは、消火設備格納箱に対する扉枠の取付作業が何等の熟練を要することなく簡単かつ正確に行えると共に、長期に亘り安定した状態で取付けておくことができる消火設備格納箱の扉枠取付構造とその取付方法を提供するにある。
【課題を解決するための手段】
【００１０】
上記目的を達成するために本発明の消火設備格納箱の扉枠取付構造は、請求項１に記載したように、建物等の壁面に設けている凹部内に設置された消火設備格納箱の前端開口部に配した扉枠の取付構造であって、消火設備格納箱の開口部内周面に突設したリブと扉枠の後端縁に内方に向かって突設したリブとを前後に対向させて、これらのリブの複数箇所間をボルト又は係合ピン等の軸体によって連結、固定してあり、さらに、消火設備格納箱の上記リブにおける両側リブ部の上部に前方に向かって扉枠支持部材を突設している一方、扉枠の両側枠部の外側面上部に載架片を突設してあり、この両側載架片をそれぞれ上記両側の扉枠支持部材の上面に受止させて扉枠を扉枠支持部材を介して消火設備格納箱に支持させていることを特徴とする。
【００１１】
このように構成した消火設備格納箱の扉枠取付構造において、請求項２に係る発明は、上記扉枠支持部材は板面を垂直方向に向けている板材からなり、その後端部を消火設備格納箱の両側リブ部の上部に設けた縦スリットに係止させていると共に前端部は消火設備格納箱の前端開口部から前方に突出させていて、その突出端部を扉枠の両側枠部内に臨ませてあり、さらに、扉枠の載架片を支持するこの扉枠支持部材の上端面は水平端面に形成されていることを特徴とする。
【００１２】
請求項３に係る発明は、消火設備格納箱の扉枠取付方法であって、建物等の壁面に設けている凹部内に設置された消火設備格納箱の開口部の内周面には、内方に向かってリブが突設されてあり、このリブの複数箇所には扉枠固定用透孔が設けられていると共にこのリブの両側リブ部に設けている上記扉枠固定用透孔の外側に位置させてこの両側リブ部の上部には前方に向かって扉枠支持部材が突設されている一方、扉枠の後端縁には内方に向かってリブが突設されていて、このリブに上記各扉枠固定用透孔に対向するように複数個の扉枠取付用透孔が設けられていると共に扉枠の両側枠部の外側面上部に載架片を突設してあり、この扉枠の後端面を消火設備格納箱の前端開口部に合わせてその両側枠部に突設している上記載架片をそれぞれ上記消火設備格納箱の両側リブ部から前方に突出している扉枠支持部材上に受止させたのち、扉枠を消火設備格納箱内に扉枠を収納すると共に消火設備格納箱のリブに設けている各扉枠固定用透孔に扉枠のリブに設けている上記各扉枠取付用透孔をそれぞれ対向させてこれらの対向する透孔間をボルト又は係合ピン等の軸体によって連結、固定することを特徴とする。
【００１３】
上記請求項３に係る発明において、請求項４に係る発明は、扉枠を消火設備格納箱内に収納する際に、扉枠に扉を取付けておくことを特徴とする。
【００１４】
さらに、請求項５に係る発明は、扉枠支持部材の前端部は消火設備格納箱の前端開口部から前方に突出していると共にこの扉枠支持部材の上端面は水平端面に形成されてあり、この扉枠支持部材の上端面に扉枠の両側枠部の外側面上部に突設している載架片を載せて扉枠を扉枠支持部材に支持させた際に、扉枠のリブに設けている各扉枠取付用透孔が消火設備格納箱のリブに設けている各扉枠固定用透孔にそれぞれ同一高さ位置で対向するように構成していることを特徴とする。
【発明の効果】
【００１５】
本発明によれば、消火設備格納箱の開口部内周面に設けているリブの両側リブ部の上部に前方に向かって扉枠支持部材を突設している一方、扉枠の両側枠部の外側面上部に載架片を突設しているので、消火設備格納箱に扉枠を取り付ける際に、扉枠を起立状態にしてその後端面を消火設備格納箱の前端開口部に合わせるように対向させ、扉枠の両側枠部の外側面上部に突設している上記載架片を消火設備格納箱の両側リブ部の上部に前方に向かって突設している上記扉枠支持部材の前端部上に載せて受止さければ、扉枠を消火設備格納箱の前端開口部に簡単且つ正確に位置合わせした状態となるように扉枠支持部材に支持させることができる。
【００１６】
この状態にして扉枠を消火設備格納箱内に押し進めれば、扉枠の荷重を消火設備格納箱の上記両側の扉枠支持部材によって支持させながら、扉枠を消火設備格納箱の扉枠支持部材をガイドとして消火設備格納箱内の取付位置に何等の熟練を要することなく簡単且つ安全に収納することができると共に、扉枠のリブに設けている各扉枠取付用透孔を消火設備格納箱のリブに設けている各扉枠固定用透孔にそれぞれ互いに中心線上で前後に対向させることができる。
【００１７】
従って、扉枠を消火設備格納箱の上記両側扉枠支持部材によって支持させた状態を保持しながらこれらの各対向する透孔間をボルト又は係止ピン等の軸体によって簡単に連結、固定することができ、消火設備格納箱に対する扉枠の取付作業が一人の作業員であっても能率よく行うことができる。
【００１８】
さらに、消火設備格納箱内に扉枠を取付けた状態においては、扉枠はその両側枠部の外側面に突設している載架片を消火設備格納箱の前端開口部内周面に設けているリブの両側リブ部の上部に突設した扉枠支持部材に支持させているので、扉枠と消火設備格納箱との対向するリブの複数箇所間を連結、固定しているボルト等の軸体に大きな負荷が掛かることなく長期に亘り安定した取付状態を保持することができる。
【００１９】
また、消火設備格納箱の両側リブ部に突設している上記扉枠支持部材の前端部を消火設備格納箱の開口端から前方に突出させているので、消火設備格納箱に対する扉枠の取付作業の開始を安全に且つ円滑に行えると共に、この突出した扉枠支持部材の前端部を扉枠の両側枠部内に位置させてこの枠部によって隠蔽しているので、従来の消火設備格納箱と同様に体裁のよい外観を呈することができる。なお、消火設備格納箱に対する扉枠の取付作業時において、扉枠を扉枠支持部材に支持させ際に扉枠が取付位置に配置された状態となる場合には、扉枠を後方に押し進める作業を行う必要はない。
【図面の簡単な説明】
【００２０】
【図１】前端開口部を扉によって閉止している消火設備格納箱の正面図。
【図２】その簡略縦断側面図。
【図３】要部の横断平面図。
【図４】扉枠支持部材を設けた消火設備格納箱の前端開口部の一部と、載架片を設けた扉枠の一部との斜視図。
【図５】消火設備格納箱に扉枠を取り付けた状態の一部の縦断側面図。
【図６】消火設備格納箱に対する扉枠の取付開始状態を示す一部の縦断側面図。
【図７】消火設備格納箱内に向かって扉枠を押し進めている中途状態を示す一部の縦断側面図。
【発明を実施するための形態】
【００２１】
本発明の具体的な実施例を図面について説明すると、図１〜図５において、建物等の壁面20に設けている凹部21内に埋設状態で設置されている消火設備格納箱１は、両側板1a、1aと天板1bと底板1cとによって形成している縦長長方形の枠体の後端開口部を背面板1dによって閉止してなる箱型に形成されてあり、その前端は全面的に開口していると共にこの開口縁から後方に向かって小間隔を存した開口部の内周面に、この内周面に直交する内方に向かって突出した一定幅を有するリブ２を全周に亘って設けている。
【００２２】
なお、上記リブ２は、断面Ｌ型の金属板をリブ材として使用し、このリブ材における互いに直角に連なっている板部において、一方の板部を消火設備格納箱１の開口部の内周面に溶接によって固着し、この板部に対して消火設備格納箱１の内方に突出する他方の板部によって上記リブ２を形成している。
【００２３】
さらに、このリブ２における内周部側の板部に周方向に所定間隔毎に扉枠固定用透孔３が設けられていると共に、リブ２の両側リブ部2a、2aにおける上部に前方に向かって扉枠支持部材４、４を突設している。
【００２４】
この扉枠支持部材４の形状と両側リブ部2a、2aに対する取付構造を詳述すると、扉枠支持部材４は図４、図５に示すように、後端から前端に向かって先細形状に形成している一定厚みを有する三角形状の板材からなり、その板面を垂直方向に向けていると共に上端面は水平な端面に形成されている。
【００２５】
さらに、この扉枠支持部材４の後端部に、その上下端面からそれぞれ上下方向に突出した突片4a、4bを突設していると共にこれらの突片4a、4bの後端面に、扉枠支持部材４の垂直な板面に対して互いに直角方向に屈折して上記両側リブ部2a、2aの前面にその後面を当接、受止させる当て片4c、4dを設けている。また、扉枠支持部材４の後端面に下方に向かってＬ字状に屈曲したフック片4eを後方に向かって突設してあり、このフック片4eによって扉枠支持部材４を上記リブ部2aに取り付けている。
【００２６】
具体的には、消火設備格納箱１の両側リブ部2a、2aの上部における外側部には、上記扉枠支持部材４のフック片4cが挿通可能な上下方向に長い一定幅を有する縦スリット５が設けられてあり、この縦スリット５に上記扉枠支持部材４のフック片4cを挿通すると共に下方に移動させて縦スリット５の下端に係止させ、このフック片4eの前端面と扉枠支持部材４の後端面との間の隙間によってリブ部2aを挟持させた状態にすると共に上記上下当て片4c、4dをリブ部2aの前面に当接させた状態にすることによって扉枠支持部材４をリブ部に取り付けている。
【００２７】
また、このように消火設備格納箱１の両側リブ部2a、2aに扉枠支持部材４、４を取り付けた状態においては、これらの扉枠支持部材４、４の水平な上端面は同じ高位置となるように固定されていると共に、扉枠支持部材４の前端部は消火設備格納箱１の開口端から前方に突出させた状態となるようにその長さを設定している。なお、消火設備格納箱１の両側リブ部2a、2aに扉枠支持部材４、４を取り付けた構造としては、上記のようにフック片4eを縦スリット５に係止させた構造にすることなく、扉枠支持部材４の後端面を消火設備格納箱１の両側リブ部2a、2aの上部前面に溶接或いは螺子止め等によって固定した構造を採用してもよい。
【００２８】
上記のように構成している消火設備格納箱１の前端開口部には扉６を開閉自在に設けている扉枠７が取り付けられている。
【００２９】
この扉枠７は、両側枠部7a、7aと天面枠部7bと底面枠板7cとによって上記消火設備格納箱１内に挿入可能な大きさの一定幅を有する縦長長方形の枠体に形成されてあり、その前後の開口端間の幅は消火設備格納箱１の前端の開口端面とリム２間の幅よりも広く形成されていて、消火設備格納箱１に取り付けられた状態においてはその前端部を消火設備格納箱１の開口前端から前方に突出させている。
【００３０】
この扉枠７の前端縁には、前端縁から外方に向かって直角に屈折してなる前面周枠部８が一体に設けられていると共に後端縁には内方に向かって直角に屈折してなる一定幅を有するリブ９が全周に亘って一体に設けられてあり、このリブ９を上記消火設備格納箱１の前端開口部内周面に突設しているリブ２の前面に対向させている。
【００３１】
さらに、上記前面周枠部８の外周端縁に、後方に向かって直角に屈折した一定幅を有する外周枠部8aが突設されてあり、この外周枠部8aの後端面を、消火設備格納箱１を埋設状態で収納している建物等の上記壁部20に設けた凹部21の開口端外周壁面に当接させた状態にして扉枠７を消火設備格納箱１に取り付けていると共に、この消火設備格納箱１の開口端から前方に突出している上記両側扉枠支持部材４、４の前端部は、上記扉枠７の前面周枠部８の後面に向かって臨ませていて図３に示すように、扉枠７の側枠部7aの前部と上記前面周枠部８と外周枠部8aとによって囲まれた空間部内にその突出前端部を突出させて外部に対し隠蔽されている。
【００３２】
消火設備格納箱１に対する上記扉枠７の取付構造を詳述すると、扉枠７の後端縁に内方に向かって直角に屈折してなる上記リブ９には、上記消火設備格納箱１のリブ２に周方向に所定間隔毎に設けている扉枠固定用透孔３にそれぞれ対向して扉枠取付用透孔10が周方向に扉枠固定用透孔３と同一間隔毎に設けられてあり、同一中心線上で前後に対向する各扉枠固定用透孔３と扉枠取付用透孔10とにおいて、図３、図５に示すように、扉枠取付用透孔10から扉枠固定用透孔３に向かってボルト11を挿通してそのボルト11の先端部を扉枠固定用透孔３の後端側開口縁に設けたナット12に螺締した取付構造としている。なお、このナット12は予め溶接等によって固着しておいてもよく、ボルト11の螺合時に、扉枠固定用透孔３の後端側開口縁に合わせて添設してもよい。
【００３３】
さらに、扉枠７の上記両側枠部7a、7aの外側面の上部における後部に、上記消火設備格納箱１の両側リブ部2a、2aの上部から前方に向かって突設している扉枠支持部材４、４の上端面上に載せて扉枠７を扉枠支持部材４、４を介して消火設備格納箱１の両側リブ部2a、2aに支持させている載架片13、13を外側方に向かって水平に突設している。
【００３４】
これらの載架片13、13は、上記扉枠支持部材４の前後方向の長さよりも狭幅の平面四角形状に形成されてあり、その内端縁から下方に向かって直角に屈折している取付片13a を扉枠７の上記枠部7aの外面に溶接等によって固着している。この載架片13、13を上記のように扉枠支持部材４、４上に載置して扉枠７を消火設備格納箱１の両側リブ部2a、2aに支持させている。
【００３５】
なお、上記載架片13、13を上記両側の扉枠支持部材４、４上に載せて支持させた際に、上記扉枠７のリブ９に設けている各扉枠取付用透孔10が、これらの扉枠取付用透孔10の後方の消火設備格納箱１のリブ２に設けている各扉枠固定用透孔３にそれぞれ同一中心線上で対向するように、扉枠支持部材４と載架片13との取付位置を設定している。また、扉枠７内には消火設備格納箱１の開口端を開閉する扉６が支軸14、14によって開閉自在に配設されている。
【００３６】
次に、上記消火設備格納箱１の前部の開口部内に対する上記扉枠７の取付方法について説明する。
【００３７】
消火設備格納箱１は建物の壁面20に設けた上記凹部21内に収納して埋設状態で設置されてあり、その開口前端面は壁面20に面一状にしているか僅かに壁面20から後方に没入させている。なお、消火設備格納箱１内に格納されている消火設備とは、消火用ホース、ノズル、消火栓弁及び放水口等の消火及び／又は防火の用に供する器具である。
【００３８】
この消火設備格納箱１の開口端前方において、扉枠７を起立状態にして持ち上げ、その後端面を図６に示すように、この消火設備格納箱１の開口端に合わせながら図７に示すように、扉枠７の後部を消火設備格納箱１の前端開口部内に挿入して扉枠７の両側枠部7a、7aに突設している載架片13、13を消火設備格納箱１の両側リブ部2a、2aから前方に突設している扉枠支持部材４、４の水平上端面の前端部上に載置してこの水平上端面上に受止させ、扉枠７をこれらの載架片13、13を介して扉枠支持部材４、４に支持させた状態する。なお、これらの扉枠支持部材４、４の前端部には載架片13、13が扉枠支持部材４から前方に移動するのを阻止する抜け止め用突起15が上方に向かって突設している。
【００３９】
次いで、扉枠７を後方に向かって押し進めれば、扉枠７の両側枠部7a、7aに突設している両側載架片13、13が上記扉枠支持部材４、４の水平な上端面上を摺動しながら扉枠７が消火設備格納箱１の開口部内に収納される。
【００４０】
しかるのち、扉枠７のリブ９に設けている扉枠取付用透孔10からボルト11を挿入してその先端部をこの扉枠取付用透孔10の後方に対向して設けられている消火設備格納箱１のリブ２に設けた扉枠固定用透孔３を通じてナット12に螺締する。このボルト・ナットによる扉枠７のリブ９と消火設備格納箱１のリブ２との連結、固定作業を対向する全ての透孔３、10に行うことによって扉枠７を消火設備格納箱１に取り付ける。取り付けた状態においては、扉枠７の外周枠部8aの後端面が、消火設備格納箱１を設置している建物等の上記壁部20に設けた凹部21の開口端外周壁面に当接した状態となる。
【００４１】
なお、扉枠７には予め扉６を開閉自在に取り付けておき、この扉６を取り付けている扉枠７を上記取付方法によって消火設備格納箱１に取り付けているが、扉枠７のみを消火設備格納箱１に取り付けたのち、この扉枠７に扉６を取り付けてもよい。
【００４２】
また、上記実施例においては、扉枠７のリブ９に設けている扉枠取付用透孔10からボルト11を挿入してその先端部をこの扉枠取付用透孔10の後方に対向して設けられている消火設備格納箱１のリブ２に設けた扉枠固定用透孔３を通じてナット12に螺締することによって扉枠７を消火設備格納箱１に取り付けているが、ボルト・ナットによることなく、ボルト以外の軸体、例えば、特開２００９−１０６４６５号公報に記載されているように、外周面に多数の環状掛止突部を形成している係合ピンを使用してこの係合ピンを扉枠７のリブ９に設けている扉枠取付用透孔10から挿入してその先端部を消火設備格納箱１のリブ２に設けた扉枠固定用透孔３に係止させることによって扉枠７を消火設備格納箱１に取り付けてもよい。
【符号の説明】
【００４３】
１  消火設備格納箱
２  リブ
３  扉枠固定用透孔
４  扉枠支持部材
５  縦スリット
６  扉
７  扉枠
９  リブ
10  扉枠取付用透孔
11  ボルト
13  載架片
20  建物壁面
21  凹部                                                    
【図１】
2019198537.tif 000003
【図２】
2019198537.tif 000004
【図３】
2019198537.tif 000005
【図４】
2019198537.tif 000006
【図５】
2019198537.tif 000007
【図６】
2019198537.tif 000008
【図７】
2019198537.tif 000009